【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
移動局（120）を含むＧＳＭネットワーク（100）における１つの上りリンク・パケットデータチャネルを、９個以上の移動局によって共有することを可能にするための、前記移動局（120）における方法であって、
‐複数の上りリンク状態フラグ値から成る結合を、２個以上の下りリンク無線ブロックから成るセットで受信するステップ（705;1401）と、
‐前記結合に含まれる、前記受信された複数の上りリンク状態フラグ値を一緒に解釈するステップ（706;1402）と、
上りリンク状態フラグ値の、前記移動局（120）に割り当てられている結合が受信された場合にのみ、パケットデータを送信するステップ（707;1403）と、
を含むことを特徴とする方法。
【請求項２】
下りリンク無線ブロックの前記セットは、予め定義されていることを特徴とする請求項１に記載の方法。
【請求項３】
下りリンク無線ブロックの前記セットは、
同一の２０ミリ秒無線ブロック期間中の時分割多元接続フレームにおける、異なる複数のタイムスロットの２個以上のパケットデータチャネルと、
同一のパケットデータチャネルの２個以上の連続する無線ブロックと、
のうちの１つまたは組み合わせで受信されており、
前記パケットデータは、対応する複数の上りリンク無線ブロックの全てまたはサブセットのみで送信される
ことを特徴とする請求項１または２に記載の方法。
【請求項４】
前記移動局（120）には、上りリンク状態フラグ値の、割り当てられた２個以上の結合が割り当てられており、それにより、対応する複数の上りリンク無線ブロックについての異なる複数のサブセットでの送信が前記移動局（120）に許可される
ことを特徴とする請求項１から３のいずれか１項に記載の方法。
【請求項５】
移動局（120）を含むＧＳＭネットワーク（100）における１つの上りリンク・パケットデータチャネルを、９個以上の移動局によって共有することを可能にするための、前記ＧＳＭネットワーク（100）における方法であって、
‐前記移動局（120）によって一緒に解釈されるべき複数の上りリンク状態フラグ値から成る結合を、２個以上の下りリンク無線ブロックから成るセットで前記移動局（120）に送信するステップ（705;1602）と、
‐前記移動局（120）が、前記結合に含まれる、前記送信された複数の上りリンク状態フラグ値を受信して一緒に解釈し、かつ、上りリンク状態フラグ値の、前記移動局（120）に割り当てられた結合が受信された場合にのみパケットデータを送信したことに応じて、前記移動局（120）から前記パケットデータを受信するステップ（707;1603）と
を含むことを特徴とする方法。
【請求項６】
下りリンク無線ブロックの前記セットは、予め定義されていることを特徴とする請求項５に記載の方法。
【請求項７】
下りリンク無線ブロックの前記セットは、
同一の２０ミリ秒無線ブロック期間中の時分割多元接続フレームにおける、異なる複数のタイムスロットの２個以上のパケットデータチャネルと、
同一のパケットデータチャネルの２個以上の連続する無線ブロックと、
のうちの１つまたは組み合わせで、前記移動局（120）に対して送信されており、
前記パケットデータは、対応する複数の上りリンク無線ブロックの全てまたはサブセットのみで受信される
ことを特徴とする請求項５または６に記載の方法。
【請求項８】
上りリンク状態フラグ値の、割り当てられた２個以上の結合が前記移動局（120）に送信されており、それにより、対応する複数の上りリンク無線ブロックについての異なる複数のサブセットでの送信が前記移動局（120）に許可される
ことを特徴とする請求項５から７のいずれか１項に記載の方法。
【請求項９】
‐結合された複数の状態フラグ値のジョイント解釈をサポートしていない移動局（121-1,121-2）に対しても複数の上りリンク状態フラグ値から成る結合が割り当てられるよう、結合された複数の状態フラグ値のジョイント解釈をサポートしていない当該移動局（121-1,121-2）に対する複数の上りリンク状態フラグ値の割り当てを、結合された複数の状態フラグ値のジョイント解釈をサポートしている移動局（120-1,120-2）と調整するステップ（702;1601）
を更に含むことを特徴とする請求項５から８のいずれか１項に記載の方法。
【請求項１０】
移動局（120）を含むＧＳＭネットワーク（100）における１つの上りリンク・パケットデータチャネルを、９個以上の移動局によって共有することを可能にするための、前記移動局（120）であって、
複数の上りリンク状態フラグ値から成る結合を、２個以上の下りリンク無線ブロックから成るセットで受信し、
前記結合に含まれる、前記受信された複数の上りリンク状態フラグ値を一緒に解釈し、
上りリンク状態フラグ値の、前記移動局（120）に割り当てられている結合が受信された場合にのみ、パケットデータを送信する
よう構成されていることを特徴とする移動局。
【請求項１１】
下りリンク無線ブロックの前記セットは、予め定義されていることを特徴とする請求項１０に記載の移動局。
【請求項１２】
前記移動局（120）は、
同一の２０ミリ秒無線ブロック期間中の時分割多元接続フレームにおける、異なる複数のタイムスロットの２個以上のパケットデータチャネルと、
同一のパケットデータチャネルの２個以上の連続する無線ブロックと、
のうちの１つまたは組み合わせで、下りリンク無線ブロックの前記セットを受信するよう、更に構成されており、
前記移動局（120）は、対応する複数の上りリンク無線ブロックの全てまたはサブセットのみで、前記パケットデータを送信するよう、更に構成されている
ことを特徴とする請求項１０または１１に記載の移動局。
【請求項１３】
前記移動局（120）には、上りリンク状態フラグ値の、割り当てられた２個以上の結合が割り当てられており、それにより、対応する複数の上りリンク無線ブロックについての異なる複数のサブセットでの送信が前記移動局（120）に許可される
ことを特徴とする請求項１０から１２のいずれか１項に記載の移動局。
【請求項１４】
基地局（110）及び移動局（120）を含むＧＳＭネットワーク（100）における１つの上りリンク・パケットデータチャネルを、９個以上の移動局によって共有することを可能にするための、前記基地局（110）であって、
‐前記移動局（120）によって一緒に解釈されるべき複数の上りリンク状態フラグ値から成る結合を、２個以上の下りリンク無線ブロックから成るセットで前記移動局（120）に送信し、
‐前記移動局（120）が、前記結合に含まれる、前記送信された複数の上りリンク状態フラグ値を受信して一緒に解釈し、かつ、上りリンク状態フラグ値の、前記移動局（120）に割り当てられた結合が受信された場合にのみパケットデータを送信したことに応じて、前記移動局（120）から前記パケットデータを受信する
よう構成されていることを特徴とする基地局。
【請求項１５】
下りリンク無線ブロックの前記セットは、予め定義されていることを特徴とする請求項１４に記載の基地局。
【請求項１６】
前記基地局（110）は、
同一の２０ミリ秒無線ブロック期間中の時分割多元接続フレームにおける、異なる複数のタイムスロットの２個以上のパケットデータチャネルと、
同一のパケットデータチャネルの２個以上の連続する無線ブロックと、
のうちの１つまたは組み合わせで、下りリンク無線ブロックの前記セットを前記移動局（120）に対して送信するよう、更に構成されており、
前記基地局（110）は、対応する複数の上りリンク無線ブロックの全てまたはサブセットのみで、前記パケットデータを受信するよう、更に構成されている
ことを特徴とする請求項１４または１５に記載の基地局。
【請求項１７】
前記基地局（110）は、上りリンク状態フラグ値の、割り当てられた２個以上の結合を前記移動局（120）に送信するよう、更に構成されており、それにより、対応する複数の上りリンク無線ブロックについての異なる複数のサブセットでの送信が前記移動局（120）に許可される
ことを特徴とする請求項１４から１６のいずれか１項に記載の基地局。
【請求項１８】
前記基地局（110）は、
結合された複数の状態フラグ値のジョイント解釈をサポートしていない移動局（121-1,121-2）に対しても複数の上りリンク状態フラグ値から成る結合が割り当てられるよう、結合された複数の状態フラグ値のジョイント解釈をサポートしていない当該移動局（121-1,121-2）に対する複数の上りリンク状態フラグ値の割り当てを、結合された複数の状態フラグ値のジョイント解釈をサポートしている移動局（120;120-1,120-2）と調整するよう、更に構成されていることを特徴とする請求項１４から１７のいずれか１項に記載の基地局。